(57)【要約】【課題】  延出される配管の動きを抑制して、配管の回転や振れによる配管先端側の締付ナットの緩みを防止すること。また、この延出される配管をカバーに挿通する際に、その位置を正確に案内することのできるカバー水栓を提供すること。【解決手段】  水栓本体２を被覆するカバー１１を備え、水栓本体２に連通接続されるとともにカバー１１の外部に延設される配管１９を備えたカバー水栓１１において、下部カバー２０の内側に、配管１９を挿通させる挿通部３４を設けた、また、挿通部３４には、配管１９の取り付け位置に向かって下り傾斜となる案内傾斜部３５を設けた。    【選択図】    図５
2008138379.tif 000002
【特許請求の範囲】
【請求項１】
水栓本体を被覆するカバーを備え、該水栓本体に連通接続されるとともに該カバーの外部に延設される配管を備えたカバー水栓であって、
前記カバーの内側に、前記配管を挿通させる挿通部が形成されたことを特徴とするカバー水栓。
【請求項２】
前記挿通部には、前記配管の取り付け位置に向かって傾斜される案内傾斜部を備えたことを特徴とする請求項１に記載のカバー水栓。
【請求項３】
前記配管は、前記カバー水栓の下方に延設されるとともに、前記挿通部は、前記カバーの下部に設けられたことを特徴とする請求項１または請求項２に記載のカバー水栓。
【発明の詳細な説明】
【技術分野】
【０００１】
本発明は、カバー水栓に関する。
【背景技術】
【０００２】
従来、水栓本体がカバーの内部に設けられるとともに浴室などの壁面に固定されるカバー水栓が知られている。このようなカバー水栓には、壁面裏側から浴室内に引き込まれ、壁面に対して固定されている給湯管や給水管の端末に対して水栓本体を固定し、もって壁面に対しても固定しているものが知られている。一方、例えば、水栓本体が固定用ステーにより壁面に固定されるとともに、水栓本体に接続された配管は、浴室内のカウンター内などに引き込まれ、水栓本体裏側とは別の部位に壁面裏側から引き込まれた給湯管などの端末にされるカバー水栓も知られている。
【０００３】
このような後者の従来のカバー水栓では、例えば、水栓本体に連通接続されるとともにカバー水栓の下面に延出された配管を、カウンター内の別の配管に接続することとしていた（例えば、特許文献１参照。）。
【０００４】
【特許文献１】意匠登録第１２３４１７１号公報
【発明の開示】
【発明が解決しようとする課題】
【０００５】
ところが上記した従来のカバー水栓における配管の接続作業時に、水栓本体側にのみ固定された配管の先端が自由に動くため、配管の回転や振れなどが生じ、このために配管の先端側の締付ナットが緩むおそれがあった。また、配管をカバー内に挿通させる作業を必要とする場合、挿通される配管の位置を正確に案内したいという要望もあった。
【０００６】
本発明は上記した従来のカバー水栓の問題点を解消するものであり、延出される配管の動きを抑制して、配管の回転や振れによる配管先端側の締付ナットの緩みを防止することを目的とする。また、請求項２の発明では、この延出される配管をカバーに挿通する際に、その位置を正確に案内することのできるカバー水栓を提供することを目的とする。
【課題を解決するための手段】
【０００７】
以上の課題を解決するために、本発明の採った手段を以下に説明する。本発明のカバー水栓は、  水栓本体を被覆するカバーを備え、該水栓本体に連通接続されるとともに該カバーの外部に延設される配管を備えたカバー水栓であって、前記カバーの内側に、前記配管を挿通させる挿通部が形成されたことを特徴とするカバー水栓（請求項１）である。
【０００８】
配管を挿通させることのできる挿通部を設けることにより、配管の動きを抑制することができる。挿通部の形状・位置などは特に限定されず、あらかじめ定められた所定の位置に配管が位置されるように形状・位置などを設ければ良い。
【０００９】
また、前記挿通部には、前記配管の取り付け位置に向かって傾斜される案内傾斜部を備えたものとしても良い（請求項２）。
【００１０】
このような案内傾斜部を挿通部に設けることにより、配管を挿通する際に、配管を挿通部に向かって案内することができ、配管を挿通部に正しく挿通する作業を円滑に行うことができる。
【００１１】
また、前記配管は、前記カバー水栓の下方に延設されるとともに、前記挿通部は、前記カバーの下部に設けられたものとしても良い（請求項３）。
【００１２】
配管を下方に延設するカバー水栓の場合、挿通部をカバーの下部に設けることにより、カバー下方へ接続される配管をその接続部位の近くで位置決めすることができ、より確実な配管の固定をすることができる。
【発明の効果】
【００１３】
本発明のカバー水栓は、上記のように挿通部が設けられることにより、配管を固定することができるので、配管の回転や振れによる締付ナットの緩みを防止することができる。また、特に請求項２のカバー水栓では、案内傾斜部により、配管を挿通部に正しく挿通する作業を円滑に行うことができる。
【発明を実施するための最良の形態】
【００１４】
次に、本発明のカバー水栓の実施の形態を図を参考にして詳細に説明する。図１から図３に示すように、本発明のカバー水栓１は、浴室内の壁面Ａの前面に取り付けられたカウンターＢの上部に載置されるとともに、壁面Ａにねじ止め固定されているものである。また、このカバー水栓１は、温度調節ハンドル４により適宜の湯温に調節された混合水を、吐水切換ハンドル５の操作によって、吐水口６またはシャワーエルボ７に接続されたシャワー（図示省略）から吐水させるものである。そして、このカバー水栓１のカバー１１は、下部カバー２０と、上部カバー４０とから構成され、側面視が倒立した「Ｌ字」状に形成されている。また、内部には、銅管である配管１９が接続された水栓本体２が収容固定されている。また、上部カバー４０は、左右のカラー４９、５０と、背面カバー４２と、メンテナンスカバー７０と、上側カバー４８とを備えており、これらを組み付けて全体が箱形形状に形成されている。
【００１５】
図３に示すように、下部カバー２０は、前後方向に肉薄の、上下面及び背面が開放された横断面「コ字」状に形成されている。下部カバー２０の上端面は、上記した上部カバー４０の一部が載置可能な載置部３３とされている。また、正面部２６の上部及び下部には、下部カバー２０を壁面Ａにねじ止めするための固定用孔２１が開設された固定片２２，２４が突設されている。
【００１６】
図４及び図５に示すように、下部カバー２０の正面部２６及び両側面部２７の下端には、段部２８が形成されている。段部２８は、カウンターＢ上面に設けられた取付口８の周縁に沿って凹設された載置部３に対応して形成されている。そしてこの段部２８の内側には、取付口８の内側に対応して形成され、段部２８から下方に延設された差込部２９が設けられている。このような差込部２９により、下部カバー２０の取付口８への取付が案内され、下部カバー２０の取付口８への取付を容易に行うことができる。また、取付口８の周縁の載置部３に対応した段部２８が設けられることにより、下部カバー２０を取付口８に取り付けた際には段部２８が載置部３上に当接載置されることになり、下部カバー２０を取付口８に安定的・確実に取り付けることができる。
【００１７】
また、各々の側面部２７の上端には、上部カバー４０が下部カバー２０上に載置される際に、カラー４９、５０の内側面に摺接する部位に設けられた薄板状の挿嵌部３０が突設されている。図３に示すように、上部カバー４０が下部カバー２０上に載置される際に、挿嵌部３０が両カラー４９、５０の内側面に摺接しつつ下部カバー２０に対する上部カバー４０の位置を案内して、上部カバー４０を下部カバー２０に対して適切な位置に設置することができる。挿嵌部３０は、側面部２７に沿って、その横断面が長手方向となる薄板状に形成されている。また、両挿嵌部３０の内側面には、突条３２が形成されており、挿嵌部３０を補強している。なお、薄板状の挿嵌部３０を平行に二つ形成して、それらの挿嵌部３０間にカラー４９、５０の下端部を挟み込むようにして位置決めをすることもできる。
【００１８】
また、図５及び図６に示すように、正面部２６の裏側の下部、左右両側には、挿通部３４がそれぞれ設けられている。挿通部３４は、内側に向けて下り傾斜に形成される矩形の薄板状に形成された案内傾斜部３５がそれぞれ対向するように配設されて構成されている。案内傾斜部３５の下端部の間隔は、これらの間に挿通される配管１９の外径よりも僅かに大きく設けられている。このように挿通部３４が設けられることにより、挿通された配管１９は、案内傾斜部３５の下端部に挟まれて、その動きが抑制されることになる。一方、案内傾斜部３５の上端部の間隔は、配管１９の外径の約２倍に設けられており、二つの案内傾斜部３５が下方に向かうにしたがって幅狭となるように設けられている。よって、下部カバー２０の上方より差し込まれてくる配管１９は、下り傾斜となる案内傾斜部３５の上面に案内されて案内傾斜部３５の下端部間に導かれ、下部カバー２０の下方へ突出される。
【００１９】
次に上部カバー４０について説明する。図１から図３に示すように、上部カバー４０は、左右のカラー４９、５０と、背面カバー４２と、正面側に取り付けられるメンテナンスカバー７０と、上側カバー４８とから構成されている。また、これらの上部カバー４０内には、固定用ステー９０が取り付けられた水栓本体２が収容保持されている。
【００２０】
図３に示すように、左側のカラー４９は、側面視、底面が幅狭の「逆台形」状の板状に形成されており、その上面寄りの手前側に、温度調節ハンドル４が取り付けられる円形の開口部５２が、上面寄りの奥側に、シャワーエルボ７が突設される円形の開口部５３が、それぞれ開設されている。また、内側面には、後述するメンテナンスカバー７０と係合取付するための係止部５４、係合部５６とが設けられている。また、右側のカラー５０は、シャワーエルボ７用の開口部５３が設けられていない点を除いてカラー４９とほぼ左右対称に形成されている。
【００２１】
また、メンテナンスカバー７０は、右側面視ほぼ「Ｌ字」状に形成されている。メンテナンスカバー７０の手前側上面中央付近には、吐水口６を突出させるための半円状の凹部７２が形成されている。また、裏側面には、上記した係止部５４，係合部５６と各々係合して両カラー４９，５０とを固定する係止部７４と係合部７６とが、左右端付近両側にそれぞれ形成されている。
【００２２】
図３に示すように、背面カバー４２は、正面視において、下部が開放された「コ字」状に形成されており、その本体の正面側には、カラー４９，５０及び上側カバー４８の後端部が差し込み保持される溝４３が形成されている。また、両側部４４の上部寄りには両側部４４間に懸架された補強片４５が設けられており、この補強片４５には取付孔４１が二箇所設けられている。
【００２３】
図１及び図２に示すように、上側カバー４８は、水栓本体２を収容するように正面寄りに半円筒部４６が形成された板状に設けられるものであり、半円筒部４６の手前側下端面中央付近には、上記したメンテナンスカバー７０の凹部７２と相俟って吐水口６を突出させる半円状の凹部４７が形成されている。
【００２４】
水栓本体２は、図３に示すように、左右を長手方向とした円柱状の本体部１０と、本体部１０の背面側に接続されて「クランク」状に屈曲形成された配管部１２とを備えている。図７に示すように、本体部１０の左右両端部には、温度調節ハンドル４及び吐水切換ハンドル５が取り付けられるとともに、内蔵された各弁装置を駆動するためのスピンドル１４がそれぞれ設けられている。また、本体部１０の中央付近の下部には吐水口６が突設されており、本体部１０の中央付近背面側には、シャワーエルボ７に接続されるシャワー配管部１６が突設されている。また、配管部１２のそれぞれの屈曲部の正面側には、それぞれ、止水栓１８が設けられており、カバー水栓１の設置後には、上記したメンテナンスカバー７０のみを取り外すことにより、これらの止水栓１８を操作することができるように構成されている。そして、配管部１２の後端部からは、カウンターＢ内の配管に接続される配管１９がそれぞれ延設されている。
【００２５】
固定用ステー９０は、図３に示すように、背面部９２と、背面部９２の左右両側から正面側に屈曲延設された側面部９４，９６が設けられ、正面側が開放された「コ字」状に形成されている。また、左側の側面部９４の上方には、シャワーエルボ７が突設される円形の開口部９８が開設されている。この開口部９８は、上部カバー４０が組み立てられて固定用ステー９０が組み付けられた際には、上記した左側のカラー４９の開口部５３に対応する部位に開設されている。また、側面部９４，９６の下部の正面側には、背面部９２とほぼ平行方向に沿って屈曲形成された正面部１００が設けられている。正面部１００には、水栓本体２の止水栓１８が露呈される円形の開口部１０２が開設されている。
【００２６】
また、背面部９２の上端寄りには左右に沿って４箇所、下端寄りには２箇所のねじ止め用の取付孔１０４が開設されている。また、取付孔１０４が設けられる部位のすぐ下方の背面部９２の部位には、補強片４５の取付孔４１に対応した部位に取付孔１０８が設けられており、背面カバー４２と固定用ステー９０とがこれらの取付孔４１，１０８に背面側から取り付けられたねじ９によって固定可能に設けられている。
【００２７】
そして、下部カバー２０に取り付ける前の上部カバー４０は、固定用ステー９０の開口部１０２に水栓本体２の配管部１２がそれぞれ挿通固定され、固定用ステー９０と背面側カバー４２とが取付孔４１，１０８に背面側から取り付けられたねじ９によって固定されている。そして、左右のカラー４９，５０は、水栓本体２の本体部１０の両端部がその開口部５２，５３に挿通された上で、温度調節ハンドル４，吐水切換ハンドル５がスピンドル１４にそれぞれ取着されて、本体部１０端部とハンドル４，５によって水栓本体２に挟着されている。また、左右のカラー４９，５０の後端部が背面カバー４２の両側部４４の溝４３に差し込まれて固定されている。このように、下部カバー２０に取り付ける前の上部カバー４０は、背面カバー４２と、両カラー４９，５０のみが、固定用ステー９０と水栓本体２とに組み付けられた状態とされている。
【００２８】
このようなカバー水栓１は、図３に示すように、以下のように壁面Ａ及びカウンターＢに設置固定される。まず最初に、下部カバー２０のみをカウンターＢの取付口８に位置決め固定する。具体的には、下部カバー２０の下端部に設けられた差込部２９を取付口８に差し込む。
【００２９】
次いで、この下部カバー２０の上部に、水栓本体２、固定用ステー９０、両カラー４９，５０及び背面カバー４５を組み付けたものを載置する。まず最初に、水栓本体２の下方に延設された配管１９を下部カバー２０内側に差し込んでいく。二つの配管１９は、下部カバー２０の正面視において左右両端部付近に配設されて取り付けられるものであるが、上記したように、下部カバー２０の裏面側に設けられた挿通部３４に案内されて、所定の位置に位置決めされ、その下端部を下部カバー２０の下方に突出される。そしてこの際に、下部カバー２０の上端に設けられた各々の挿嵌部３０が、カラー４９，５０の内側面にそれぞれ摺接挿入されるようにしてこれらを下部カバー２０の適切な位置に案内させながら載置する。このようにして、配管１９が下部カバー２０の所定の位置に位置決めされて固定されるとともに、水栓本体２などが下部カバー２０上に載置される。
【００３０】
次いで、固定用ステー９０の取付孔１０４を壁面Ａに仮止めしておきながら、水栓本体２などを微調整し、その後ねじ９を本締めして壁面Ａに固定する。そして、上側カバー４８を水栓本体２などの上部に取り付ける。さらに、メンテナンスカバー７０を両カラー４９、５０間にはめ込む。具体的には、メンテナンスカバー７０の係止部７４を両カラー４９，５０の係止部５４に、係合部７６を係合部５６に、それぞれ正面側から圧入して取り付ける。さらに、配管１９をカウンターＢ内の配管に接続して、壁面Ａ及びカウンターＢに対するカバー水栓１の設置固定が完了する。なお、配管１９の配管への接続は、下部カバー２０上に水栓本体２などを載置する作業以降のいずれの時に行っても良い。
【００３１】
本発明は上記した実施の形態に限られるものではなく、本発明の趣旨の範囲内で種々の変更が可能である。例えば、本実施の形態では、上記のような挿通部３４に構成したがこれに限られず、図８に示すような、内側が下り傾斜となる傾斜面を備えた背面視三角形状の案内傾斜部３６からなる挿通部３８としても良い。この挿通部３８では、挿通取り付け時やカバー水栓１設置後の配管１９の接触に十分に耐えうる強度を持たせることが可能である。また、図９に示すように、上記した実施の形態の案内傾斜部３５の下端を配管１９の挿通方向に沿って延設し、挿通部３９が全体として、「Ｙ字」状に形成されるものとし、案内傾斜部３５の傾斜面の下端からさらに下方に配管１９を案内・保持できるように構成しても良い。このような態様は、配管１９を長い距離に渡って保持することが可能なので、特に、挿通する配管１９が長い場合に有効である。
【００３２】
また、挿通部を漏斗状に設けることとしても良い。この場合には、下部カバー２０の左右方向への配管１９の案内・固定だけではなく、前後方向における配管１９の案内・固定も可能となる。なお、挿通部をこのような漏斗状に形成した態様においては、配管１９が外れてしまわない程度の幅の縦方向の切欠を挿通部に設けることとしても良い。このような態様においては、挿通部の材料費を抑えることができる。
【００３３】
また、配管１９の下部カバー２０への取り付け時の案内を必要とせず、取り付け後の配管１９の固定のみを目的とする場合には、例えば、案内傾斜部を省略して、下側カバー２０の下面と平行に形成された薄板状の挿通部のみから構成することもできる。
【００３４】
また、特に下部カバー２０の下部において配管１９を案内・保持する必要が無い場合には、下部カバー２０の上下方向の中央付近や上部付近にこれらの挿通部を設けることとしても良い。
【００３５】
また、カバー本体と下部カバー２０が一体的に設けられたものでも良い。このような態様においては、カバー本体と下部カバー２０が一体的に設けられたものに、配管１９を直接に挿通する際などにこれらの各挿通部を用いて、配管１９の案内・保持が可能である。
【００３６】
また、特に配管１９を案内する必要がない場合には、上記した各実施の形態において、あらかじめ配管１９が接続された水栓本体２を壁面２に固定するなどして、既に固定された配管１９に、挿通部３３を配管１９の径方向から挿通させるようにして下部カバー２０を取り付けることとしても良い。この場合においても、下部カバー２０に対する配管１９の固定は行うことができる。
【図面の簡単な説明】
【００３７】
【図１】本発明のカバー水栓の正面図である。
【図２】本発明のカバー水栓の平面図である。
【図３】カバー水栓の一部分解斜視図である。
【図４】下部カバーの正面図である。
【図５】下部カバーの背面図である。
【図６】下部カバーの平面図である。
【図７】図１のカバー水栓のＡ−Ａ線断面図である。
【図８】別の下部カバーの背面図である。
【図９】さらに別の下部カバーの背面図である。
【符号の説明】
【００３８】
１；カバー水栓、２；水栓本体、３；載置部、４；温度調節ハンドル、５；吐水切換ハンドル、６；吐水口、７；シャワーエルボ、８；取付口、９；ねじ、１０；本体部、１２；配管部、１４；スピンドル、１６；シャワー配管部、１８；止水栓、１９；配管、２０；下部カバー、２１；固定用孔、２２，２４；固定片、２５；窪み、２６；正面部、２７；側面部、２８；段部、２９；差込部、３０；差込片、３２；突条、３３；載置部、３４；挿通部、３５，３６；案内傾斜部、３８，３９；挿通部、４０；上部カバー、４１；取付孔、４２；背面カバー、４３；溝、４４；両側部、４５；補強片、４６；半円筒部、４７；凹部、４８；上側カバー、４９、５０；カラー、５２；開口部、５３；開口部、５４；係止部、５６；係合部、７０；メンテナンスカバー、７２；凹部、７４；係止部、７６；係合部、９０；固定用ステー、９２；背面部、９４，９６；側面部、９８；開口部、１００；正面部、１０２；開口部、１０４，１０４’；取付孔、１０８；取付孔、Ａ；壁面、Ｂ；カウンター。
【図１】
2008138379.tif 000003
【図２】
2008138379.tif 000004
【図３】
2008138379.tif 000005
【図４】
2008138379.tif 000006
【図５】
2008138379.tif 000007
【図６】
2008138379.tif 000008
【図７】
2008138379.tif 000009
【図８】
2008138379.tif 000010
【図９】
2008138379.tif 000011